(57)【要約】【課題】ダブルスライドレールにおいて、インナーレール及び中間レールを簡単な構成で確実にアウターレール側に引き込むことを可能とする。【解決手段】所定の走行板部の上面及び上板部の下面の後方にそれぞれ後方になるほど低くなる第１の傾斜部及び第２の傾斜部が形成されたベースレールと、後方に第１のローラ及び第２のローラが配置されたインナーレールと、後方に第３のローラが配置された中間レールとを備え、インナーレールは、第１のローラが、中間レールの所定の引掛板部の下面に接触しながら走行し、第２のローラが、ベースレールの所定の走行板部の上面を走行するように構成され、中間レールは、第３のローラが、ベースレールの上板部の下面に接触しながら、第２のローラが第１の傾斜部の範囲外にある場合は第２の傾斜部の範囲前まで走行し、第２のローラが第１の傾斜部の範囲内にある場合は第２の傾斜部の範囲内まで走行するように構成されたレール装置。【選択図】図３
2020115072.tif 000002
【特許請求の範囲】
【請求項１】
所定の走行板部の上面及び上板部の下面の後方にそれぞれ後方になるほど低くなる第１の傾斜部及び第２の傾斜部が形成されたベースレールと、
後方に第１のローラ及び第２のローラが配置されたインナーレールと、
後方に第３のローラが配置された中間レールと
を備え、
前記インナーレールは、前記第１のローラが、前記中間レールの所定の引掛板部の下面に接触しながら走行し、前記第２のローラが、前記ベースレールの前記所定の走行板部の上面を走行するように構成され、
前記中間レールは、前記第３のローラが、前記ベースレールの前記上板部の下面に接触しながら、前記第２のローラが前記第１の傾斜部の範囲外にある場合は前記第２の傾斜部の範囲前まで走行し、前記第２のローラが前記第１の傾斜部の範囲内にある場合は前記第２の傾斜部の範囲内まで走行するように構成されたことを特徴とするレール装置。
【請求項２】
前記第３のローラは、前記第２のローラが前記第１の傾斜部の範囲内にある場合は、前記第１のローラが下方に変位することに応じて、前記中間レールも下方に変位することにより、前記第２の傾斜部の範囲内まで走行するように構成されたことを特徴とする請求項１に記載のレール装置。
【請求項３】
前記ベースレールは、前方に第４のローラが更に配置され、
前記中間レールは、前方に第５のローラが更に配置され、
前記第４のローラは、前記中間レールの下面に接触しながら回転し、
前記第５のローラは、前記インナーレールの下面に接触しながら回転することを特徴とする請求項１に記載のレール装置。
【請求項４】
前記所定の走行板部は、前記ベースレールの下板部であることを特徴とする請求項１に記載のレール装置。
【請求項５】
前記中間レールは、下板部の下面の前方に、後方になるほど低くなる第３の傾斜部を備えたことを特徴とする請求項４に記載のレール装置。
【請求項６】
前記所定の走行板部は、前記ベースレールの前記上板部であることを特徴とする請求項１に記載のレール装置。
【請求項７】
前記中間レールは、下板部の下面の前方に、後方になるほど低くなる第３の傾斜部を備え、
前記ベースレールは、下板部の上面の後方に、後方になるほど低くなる第４の傾斜部を備えたことを特徴とする請求項６に記載のレール装置。
【請求項８】
前記中間レールは、上下に移動可能なピンを備え、
前記ベースレールは、前記ピンが当たることにより前記中間レールの移動を規制する突起部を備えたことを特徴とする請求項１に記載のレール装置。
【請求項９】
前記突起部は、前方に斜面が形成されており、後方に垂直面が形成されていることを特徴とする請求項８に記載のレール装置。
【請求項１０】
前記インナーレールを前方に移動させることによる前記中間レールからの取り外し、及び、前記インナーレールを後方に移動させることによる前記中間レールからの取り外しを防止する取り外し防止手段を更に備えたことを特徴とする請求項１に記載のレール装置。
【請求項１１】
前記インナーレールは、左右方向の揺れを防止するためのギアを備え、
前記ベースレールは、前記ギアが噛み合う歯が形成された前後方向の走行路を備えたことを特徴とする請求項１に記載のレール装置。
【請求項１２】
貯蔵物を貯蔵する貯蔵室と、
前記貯蔵室を開閉する引出し式の扉と、
前記貯蔵室の内壁に固定され、所定の走行板部の上面及び上板部の下面の後方にそれぞれ後方になるほど低くなる第１の傾斜部及び第２の傾斜部が形成されたベースレールと、
前記引出し式の扉に固定され、後方に第１のローラ及び第２のローラが配置されたインナーレールと、
後方に第３のローラが配置された中間レールと
を備え、
前記インナーレールは、前記第１のローラが、前記中間レールの所定の引掛板部の下面に接触しながら走行し、前記第２のローラが、前記ベースレールの前記所定の走行板部の上面を走行するように構成され、
前記中間レールは、前記第３のローラが、前記ベースレールの前記上板部の下面に接触しながら、前記第２のローラが前記第１の傾斜部の範囲外にある場合は前記第２の傾斜部の範囲前まで走行し、前記第２のローラが前記第１の傾斜部の範囲内にある場合は前記第２の傾斜部の範囲内まで走行するように構成されたことを特徴とする冷蔵庫。
【発明の詳細な説明】
【技術分野】
【０００１】
本発明は、レール装置及び冷蔵庫に関する。
【背景技術】
【０００２】
野菜室扉を閉じる動作として、全開状態から、野菜室扉を冷蔵庫本体後方へ移動すると同時に、上側フレームに取り付けられた上側フレーム固定ローラが下側フレームに設けられたローラ稼動部内を後方に移動し、上側フレームに取り付けられた上側フレーム固定ローラが下側フレームに設けられた後部ストッパ部に当接し、それと同時に下側フレームが後方移動を開始し、野菜室扉が閉まり、全閉状態となる動作が行われる冷蔵庫は、知られている（例えば、特許文献１参照）。
【先行技術文献】
【特許文献】
【０００３】
【特許文献１】特開２００７−４６８３７号公報
【発明の概要】
【発明が解決しようとする課題】
【０００４】
ここで、インナーレールと中間レールとアウターレールとからなるダブルスライドレールにおいて、まずインナーレールが後方に移動し、インナーレールが中間レールのストッパに当接すると中間レールが後方移動を開始する構成を採用したのでは、インナーレール及び中間レールを確実にアウターレール側に引き込むためにストッパ等の部品が必要となる。従って、ダブルスライドレールにおいて、インナーレール及び中間レールを簡単な構成で確実にアウターレール側に引き込むことはできない。
【０００５】
本発明の目的は、ダブルスライドレールにおいて、インナーレール及び中間レールを簡単な構成で確実にアウターレール側に引き込むことを可能とすることにある。
【課題を解決するための手段】
【０００６】
かかる目的のもと、本発明は、所定の走行板部の上面及び上板部の下面の後方にそれぞれ後方になるほど低くなる第１の傾斜部及び第２の傾斜部が形成されたベースレールと、後方に第１のローラ及び第２のローラが配置されたインナーレールと、後方に第３のローラが配置された中間レールとを備え、インナーレールは、第１のローラが、中間レールの所定の引掛板部の下面に接触しながら走行し、第２のローラが、ベースレールの所定の走行板部の上面を走行するように構成され、中間レールは、第３のローラが、ベースレールの上板部の下面に接触しながら、第２のローラが第１の傾斜部の範囲外にある場合は第２の傾斜部の範囲前まで走行し、第２のローラが第１の傾斜部の範囲内にある場合は第２の傾斜部の範囲内まで走行するように構成されたレール装置を提供する。
【０００７】
ここで、第３のローラは、第２のローラが第１の傾斜部の範囲内にある場合は、第１のローラが下方に変位することに応じて、中間レールも下方に変位することにより、第２の傾斜部の範囲内まで走行するように構成された、ものであってよい。
【０００８】
また、ベースレールは、前方に第４のローラが更に配置され、中間レールは、前方に第５のローラが更に配置され、第４のローラは、中間レールの下面に接触しながら回転し、第５のローラは、インナーレールの下面に接触しながら回転する、ものであってよい。
【０００９】
また、所定の走行板部は、ベースレールの下板部であってよい。その場合、中間レールは、下板部の下面の前方に、後方になるほど低くなる第３の傾斜部を備えた、ものであってよい。
【００１０】
或いは、所定の走行板部は、ベースレールの上板部であってもよい。その場合、中間レールは、下板部の下面の前方に、後方になるほど低くなる第３の傾斜部を備え、ベースレールは、下板部の上面の後方に、後方になるほど低くなる第４の傾斜部を備えた、ものであってよい。
【００１１】
また、中間レールは、上下に移動可能なピンを備え、ベースレールは、ピンが当たることにより中間レールの移動を規制する突起部を備えた、ものであってよい。その場合、突起部は、前方に斜面が形成されており、後方に垂直面が形成されている、ものであってよい。
【００１２】
また、レール装置は、インナーレールを前方に移動させることによる中間レールからの取り外し、及び、インナーレールを後方に移動させることによる中間レールからの取り外しを防止する取り外し防止手段を更に備えた、ものであってよい。
【００１３】
また、インナーレールは、左右方向の揺れを防止するためのギアを備え、ベースレールは、ギアが噛み合う歯が形成された前後方向の走行路を備えた、ものであってよい。
【００１４】
更に、本発明は、貯蔵物を貯蔵する貯蔵室と、貯蔵室を開閉する引出し式の扉と、貯蔵室の内壁に固定され、所定の走行板部の上面及び上板部の下面の後方にそれぞれ後方になるほど低くなる第１の傾斜部及び第２の傾斜部が形成されたベースレールと、引出し式の扉に固定され、後方に第１のローラ及び第２のローラが配置されたインナーレールと、後方に第３のローラが配置された中間レールとを備え、インナーレールは、第１のローラが、中間レールの所定の引掛板部の下面に接触しながら走行し、第２のローラが、ベースレールの所定の走行板部の上面を走行するように構成され、中間レールは、第３のローラが、ベースレールの上板部の下面に接触しながら、第２のローラが第１の傾斜部の範囲外にある場合は第２の傾斜部の範囲前まで走行し、第２のローラが第１の傾斜部の範囲内にある場合は第２の傾斜部の範囲内まで走行するように構成された冷蔵庫も提供する。
【発明の効果】
【００１５】
本発明によれば、ダブルスライドレールにおいて、インナーレール及び中間レールを簡単な構成で確実にアウターレール側に引き込むことが可能となる。
【図面の簡単な説明】
【００１６】
【図１】本発明の実施の形態における冷蔵庫の正面図である。
【図２】図１における冷蔵庫のＩＩ−ＩＩ断面図である。
【図３】第１の実施の形態におけるレール装置を構成するレールの斜視図である。
【図４】第１の実施の形態におけるレール装置の正面図である。
【図５】第１の実施の形態におけるレール装置の背面図である。
【図６】第１の実施の形態におけるレール装置の側面図である。
【図７】第１の実施の形態におけるレール装置の側面図である。
【図８】第２の実施の形態におけるレール装置を構成するレールの斜視図である。
【図９】第２の実施の形態におけるレール装置の正面図である。
【図１０】第２の実施の形態におけるレール装置の背面図である。
【図１１】第２の実施の形態におけるレール装置の側面図である。
【図１２】第２の実施の形態におけるレール装置の側面図である。
【発明を実施するための形態】
【００１７】
以下、添付図面を参照して、本発明の実施の形態について詳細に説明する。
【００１８】
［本実施の形態における冷蔵庫の構成］
図１は、本実施の形態における冷蔵庫１の正面図である。
【００１９】
図示するように、本実施の形態における冷蔵庫１は、その内側と外側とを断熱状態で隔てた断熱箱体５内に複数に区画された貯蔵室を備えている。この複数に区画された貯蔵室は、その冷却温度によって、例えば、冷蔵室１１、野菜室２１、冷凍室２２、製氷室２３、及び変温室２４として機能する。
【００２０】
冷蔵室１１は、冷蔵保存のために収容物が凍らない程度の低い温度に維持される貯蔵室である。具体的な温度の下限は、通常１〜５℃である。冷蔵室１１は、観音開き式扉３１を備えた棚状の収納空間となっているものとする。
【００２１】
野菜室２１は、断熱箱体５の最下部に配置され、主として野菜の冷蔵を目的とした貯蔵室である。また、野菜室２１は、冷蔵室１１と同等又は若干高い温度設定となっている。具体的な温度の下限は、通常２℃〜７℃である。野菜室２１は、引出し扉４１を備えた引出し式の収納空間となっているものとする。
【００２２】
冷凍室２２は、冷凍温度帯に設定される貯蔵室である。具体的には、冷凍保存のために通常−２２〜−１８℃に設定されるが、冷凍保存状態の向上のために、例えば−３０〜−２５℃の低温に設定されることもある。冷凍室２２は、引出し扉４２を備えた引出し式の収納空間となっているものとする。
【００２３】
製氷室２３は、図示しない製氷機で氷を作りその氷を保存する貯蔵室である。設定温度は冷凍室２２とほぼ同等である。製氷室２３は、引出し扉４３を備えた引出し式の収納空間となっているものとする。
【００２４】
変温室２４は、冷蔵庫１に取り付けたれた操作盤により、用途に応じて庫内の温度を冷蔵温度帯から冷凍温度帯まで変更することが可能な貯蔵室である。変温室２４は、引出し扉４４を備えた引出し式の収納空間となっているものとする。
【００２５】
図２は、図１における冷蔵庫１のＩＩ−ＩＩ断面図である。
【００２６】
図示するように、冷蔵室１１は、前面開口を閉塞する観音開き式扉３１と、冷蔵室１１を棚状の収納空間とするための複数の棚板５１とを備えている。
【００２７】
野菜室２１は、前面開口を閉塞する引出し扉４１と、引出し扉４１及び断熱箱体５を伸縮自在に接続すると共に野菜室２１の内部に備えた容器６１を前後に移動可能とするレール装置７１とを備えている。
【００２８】
冷凍室２２は、前面開口を閉塞する引出し扉４２と、引出し扉４２及び断熱箱体５を伸縮自在に接続すると共に冷凍室２２の内部に備えた容器６２を前後に移動可能とするレール装置７２とを備えている。
【００２９】
変温室２４は、前面開口を閉塞する引出し扉４４と、引出し扉４４及び断熱箱体５を伸縮自在に接続すると共に変温室２４の内部に備えた容器６４を前後に移動可能とするレール装置７４とを備えている。
【００３０】
尚、製氷室２３も、野菜室２１、冷凍室２２、及び変温室２４と同様に、引出し扉４３と、製氷室２３の内部に備えた容器６３を前後に移動可能とするレール装置７３とを備えているが、図２は製氷室２３を通らない切断面における断面図なので、これらは図示していない。
【００３１】
ところで、このような冷蔵庫１としては、現在、食材を最適温度で保存するために変温室２４の数を増やしたものが上市されてきている。このように変温室２４の数を増やす場合、それぞれで温度や湿度が異なるため、全幅の中間に縦仕切りを追加して、引出しを小分けにするレイアウトが必要となる。
【００３２】
しかしながら、このように縦仕切りを追加すると、実収納容積が減少してしまう。
【００３３】
これに対して、まず、縦仕切りを薄型化することが考えられるが、縦仕切りは断熱性能等の関係で薄型化するのが難しい。
【００３４】
次に、レール装置７４を薄型化することが考えられる。レール装置７４としては、スライド量を確保するためにはベアリング式のダブルスライドレールが有用であるが、強度を考慮するとこれを薄型化することも困難である。
【００３５】
また、変温室２４の引出し扉４４を閉じたときにその状態を保持するためにバネの力を用いたとすると、引出し扉４４を開放するときにバネの抵抗により、大きな力が必要になる。
【００３６】
そこで、本実施の形態では、レール装置７４を、ローラ式のダブルスライドレール構造とする。具体的には、インナーレールに固定された２個のローラのうち、後方のローラが引出し扉４４を閉じるときにカバーレールの下面又は上面で荷重を保持し、前方のローラが中間レール下面の走行面に接触して引出し扉４４を開放するときに中間レールに固定されたローラを介してカバーレール上面で荷重を保持する構造とする。また、インナーレールの前方のローラで中間レールを保持し、インナーレールの後方のローラが傾斜部の範囲外のときは、中間レールが傾斜部の前で待機する構造とする。これにより、レール装置７４を、スライド量を維持しつつ、構造を簡易にして薄型化することを可能とする。
【００３７】
また、変温室２４の引出し扉４４を閉じたときにその状態を保持するために傾斜による引き込みを用いる。これにより、引出し扉４４を開放するときに必要な力を軽減する。
【００３８】
尚、上記では、変温室２４についてのみ述べたが、野菜室２１、冷凍室２２、及び製氷室２３についても同様である。つまり、野菜室２１、冷凍室２２、及び製氷室２３にそれぞれ設けられたレール装置７１〜７３についても同様の構造とすることができる。以下では、野菜室２１、冷凍室２２、製氷室２３及び変温室２４を貯蔵室２０と総称し、引出し扉４１〜４４を引出し扉４０と総称し、容器６１〜６４を容器６０と総称し、レール装置７１〜７４をレール装置７０と総称することとする。また、貯蔵室２０、容器６０、及びレール装置７０をまとめて「引出し」と呼ぶことにする。
【００３９】
加えて、以下では、レール装置７０の具体的な実現手段として２つの構造を提案する。１つ目の構造を有するレール装置７０をレール装置７０１として第１の実施の形態で説明し、２つ目の構造を有するレール装置７０をレール装置７０２として第２の実施の形態で説明する。
【００４０】
［第１の実施の形態におけるレール装置の構造］
以下、第１の実施の形態におけるレール装置７０１の構造について、詳細に説明する。
【００４１】
図３は、第１の実施の形態におけるレール装置７０１を構成するレールの斜視図である。尚、この図では、左下方向が引出しの手前方向（以下、「引出し前方」という）であり、右上方向が引出しの奥方向（以下、「引出し後方」という）である。また、この図では、レールは、引出しの手前から見て左側のものを示しているので、左上方向が引出しの外側方向（以下、「引出し外方」という）であり、右下方向が引出しの内側方向（以下、「引出し内方」という）である。
【００４２】
図示するように、第１の実施の形態におけるレール装置７０１は、カバーレール１００と、中間レール２００と、インナーレール３００とを組み合わせることにより構成される。
【００４３】
カバーレール１００は、側板部１０１と、下板部１０２と、上板部１０３とを備える。側板部１０１は、カバーレール１００の引出し外方における板状の部分である。側板部１０１は、貯蔵室２０の壁に固定される。下板部１０２は、側板部１０１から下端で折り曲げられて引出し内方へ延びる板状の部分である。下板部１０２の上面には、長手方向に沿って、歯面１０４と、スライド面１０５とが設けられている。本実施の形態では、歯が形成された前後方向の走行路の一例として、歯面１０４を設けており、所定の走行板部の上面の一例として、スライド面１０５を設けている。上板部１０３は、側板部１０１から上端で折り曲げられて引出し内方へ延びる板状の部分である。上板部１０３の下面には、長手方向に沿って、スライド面１０６が設けられている。
【００４４】
また、カバーレール１００は、ローラ１１１を備える。ローラ１１１は、側板部１０１に引出し内方側から取り付けられている。そして、矢印１９１で示すように中間レール２００の下面に接触し、接触しながら回転することにより、中間レール２００をスライドさせる。本実施の形態では、第４のローラの一例として、ローラ１１１を設けている。
【００４５】
更に、カバーレール１００は、傾斜部１２１，１２２を備える。傾斜部１２１は、スライド面１０５の引出し後方に設けられている。そして、引出し後方になるほど低くなる傾斜、つまり、下板部１０２の下面が平面状であれば引出し後方になるほどスライド面１０５の下板部１０２の下面からの距離が短くなるような傾斜を有している。本実施の形態では、第１の傾斜部の一例として、傾斜部１２１を設けている。また、傾斜部１２２は、スライド面１０６の引出し後方に設けられている。そして、引出し後方になるほど低くなる傾斜、つまり、下板部１０２の下面が平面状であれば引出し後方になるほどスライド面１０６の下板部１０２の下面からの距離が短くなるような傾斜を有している。本実施の形態では、第２の傾斜部の一例として、傾斜部１２２を設けている。
【００４６】
更にまた、カバーレール１００は、突起部１３１を備える。突起部１３１は、側板部１０１に設けられている。そして、突起部１３１は、垂直面１３２と、斜面１３３とを含む。
【００４７】
尚、本実施の形態では、ベースレールの一例として、カバーレール１００を設けている。
【００４８】
中間レール２００は、第１側板部２０１と、下板部２０２と、上板部２０３と、第２側板部２０４とを備える。第１側板部２０１は、中間レール２００の引出し外方における板状の部分である。下板部２０２は、第１側板部２０１から下端で折り曲げられて引出し内方へ延びる板状の部分である。上板部２０３は、第１側板部２０１から上端で折り曲げられて引出し内方へ延びる板状の部分である。本実施の形態では、所定の引掛板部の一例として、上板部２０３を設けている。第２側板部２０４は、上板部２０３から引出し内方の端部で折り曲げられて上方へ延びる板状の部分である。
【００４９】
また、中間レール２００は、ローラ２１１，２１２を備える。ローラ２１１は、第１側板部２０１の引出し前方に引出し内方側から取り付けられている。そして、矢印２９１で示すようにインナーレール３００の下面に接触し、接触しながら回転することにより、インナーレール３００をスライドさせる。本実施の形態では、第５のローラの一例として、ローラ２１１を設けている。また、ローラ２１２は、第２側板部２０４の引出し後方に引出し外方側から取り付けられている。そして、矢印２９２で示すようにカバーレール１００のスライド面１０６に接触し、接触しながら回転することにより、カバーレール１００内で中間レール２００をスライドさせる。本実施の形態では、第３のローラの一例として、ローラ２１２を設けている。
【００５０】
更に、中間レール２００は、傾斜部２２１を備える。傾斜部２２１は、下板部２０２の引出し前方に設けられている。そして、引出し後方になるほど低くなる傾斜、つまり、上板部２０３が平面状であれば引出し後方になるほど下板部２０２の上板部２０３からの距離が長くなるような傾斜を有している。本実施の形態では、第３の傾斜部の一例として、傾斜部２２１を設けている。ここで、前述したカバーレール１００の傾斜部１２１及びこの中間レール２００の傾斜部２２１は、引出し扉４０が閉じられる際に引出しを引き込む力を発生させることにより、引出し扉４０が閉じられた状態を保持する。
【００５１】
更にまた、中間レール２００は、ピン２３１と、案内孔２３２とを備える。ピン２３１は、第１側板部２０１の引出し外方側に設けられている。ピン２３１は、案内孔２３２に沿って上下に移動させることが可能になっている。案内孔２３２は、第１側板部２０１に形成されている。案内孔２３２は、ピン２３１の上下の移動を案内するためのものである。
【００５２】
ここで、カバーレール１００の突起部１３１と、中間レール２００のピン２３１とは、中間レール２００とインナーレール３００とからなるユニットのスライド範囲を規制する。即ち、規制手段の一例である。突起部１３１の垂直面１３２は、中間レール２００とインナーレール３００とからなるユニットを引き出す際に、ピン２３１が当たって止まるようにすることにより、中間レール２００の移動を規制する。但し、作業者がピン２３１を上に移動させれば、中間レール２００とインナーレール３００とからなるユニットはカバーレール１００から取り外すことができるようになっている。また、斜面１３３は、後述する中間レール２００とインナーレール３００とからなるユニットを取り付けて押し込む際に、ピン２３１が滑って移動するようにすることにより、中間レール２００の移動を可能にする。
【００５３】
更にまた、中間レール２００は、突起部２３３を備える。突起部２３３は、第１側板部２０１の引出し内方側に設けられている。突起部２３３は、インナーレール３００を前方に移動させて中間レール２００から取り外そうとしても、後述するローラ３１１が当たって止まるようにすることにより、その取り外しを防止するものである。これは、インナーレール３００が中間レール２００に組み付けられた後にローラ３１１が固定されることによる。これにより、中間レール２００とインナーレール３００とは一体化して取り外すことができなくなる。本実施の形態では、インナーレールを前方に移動させることによる中間レールからの取り外しを防止する取り外し防止手段の一例として、突起部２３３を設けている。
【００５４】
インナーレール３００は、第１側板部３０１と、下板部３０２と、中板部３０３と、第２側板部３０４と、上板部３０５と、扉支持部３０６とを備える。第１側板部３０１は、インナーレール３００の引出し内方における板状の部分である。下板部３０２は、第１側板部３０１の引出し前方の部分が上下方向における中央部分で折り曲げられて引出し外方へ延びる板状の部分である。尚、第１側板部３０１の引出し後方の部分は折り曲げられることなく下方へ延びている。中板部３０３は、第１側板部３０１から上端で折り曲げられて引出し内方へ延びる板状の部分である。第２側板部３０４は、中板部３０３から引出し内方の端部で折り曲げられて上方へ延びる板状の部分である。上板部３０５は、第２側板部３０４から上端で折り曲げられて引出し外方へ延びる板状の部分である。扉支持部３０６は、第１側板部３０１及び中板部３０３の引出し前方の部分に固定されて、引出し扉４０を支持する部分である。
【００５５】
また、インナーレール３００は、ローラ３１１，３１２を備える。ローラ３１１は、第１側板部３０１の引出し後方の部分に引出し外方側から取り付けられている。そして、矢印３９１で示すように中間レール２００の上板部２０３の下面に接触することにより、中間レール２００を保持する。本実施の形態では、第１のローラの一例として、ローラ３１１を設けている。また、ローラ３１２は、第１側板部３０１の引出し後方の部分のローラ３１１の位置よりも後方に引出し外方側から取り付けられている。そして、矢印３９２で示すようにカバーレール１００のスライド面１０５に接触し、接触しながら回転することにより、インナーレール３００をスライドさせる。本実施の形態では、第２のローラの一例として、ローラ３１２を設けている。
【００５６】
更に、インナーレール３００は、突起部３３１を備える。突起部３３１は、第１側板部３０１の引出し外方側に設けられている。突起部３３１は、インナーレール３００を後方に移動させて中間レール２００から取り外そうとしても、第２側板部２０４の引出し前方の端部に当たって止まるようにすることにより、その取り外しを防止するものである。本実施の形態では、インナーレールを後方に移動させることによる中間レールからの取り外しを防止する取り外し防止手段の一例として、突起部３３１を設けている。
【００５７】
更にまた、インナーレール３００は、同期ギア３４１を備える。同期ギア３４１は、引出しの幅が広い場合に、カバーレール１００の歯面１０４に噛み合って走行することにより、左右の揺れを防止するためのものである。本実施の形態では、左右方向の揺れを防止するためのギアの一例として、同期ギア３４１を設けている。
【００５８】
図４及び図５は、それぞれ、第１の実施の形態におけるレール装置７０１の正面図及び背面図である。
【００５９】
図示するように、カバーレール１００は、側板部１０１の下端から下板部１０２が引出し内方へ延び、側板部１０１の上端から上板部１０３が引出し内方へ延びることにより構成されている。
【００６０】
中間レール２００は、第１側板部２０１の下端から下板部２０２が引出し内方へ延び、第１側板部２０１の上端から上板部２０３が引出し内方へ延び、上板部２０３の引出し内方の端部から第２側板部２０４が上方へ延びることにより構成されている。
【００６１】
インナーレール３００は、第１側板部３０１の中央部分から下板部３０２が引出し外方へ延び、第１側板部３０１の上端から中板部３０３が引出し内方へ延び、中板部３０３の引出し内方の端部から第２側板部３０４が上方へ延び、第２側板部３０４の上端から上板部３０５が引出し外方へ延び、第１側板部３０１に扉支持部３０６が固定されることにより構成されている。
【００６２】
また、ローラ１１１は、中間レール２００の下板部２０２の下面に接しており、ローラ２１１は、インナーレール３００の下板部３０２の下面に接しており、ローラ２１２は、カバーレール１００の上板部１０３のスライド面１０６に接しており、ローラ３１１は、中間レール２００の中板部２０３の下面に接しており、ローラ３１２は、カバーレール１００の下板部１０２のスライド面１０５に接している。
【００６３】
図６及び図７は、第１の実施の形態におけるレール装置７０１の側面図である。
【００６４】
図６に、中間レール２００をインナーレール３００よりも引出し後方へ押し込んだ場合について示す。この場合は、インナーレール３００のローラ３１１が中間レール２００の中板部２０３を保持するため、インナーレール３００のローラ３１２がカバーレール１００の傾斜部１２１の範囲内になく、インナーレール３００が平行にしかスライドできなければ、中間レール２００も平行にしかスライドできない。従って、中間レール２００は、カバーレール１００の傾斜部１２２の前で待機することになる。
【００６５】
図７に、インナーレール３００を中間レール２００よりも引出し後方へ押し込んだ場合について示す。この場合は、インナーレール３００のローラ３１１が中間レール２００の中板部２０３を保持するため、インナーレール３００のローラ３１２がカバーレール１００の傾斜部１２１の範囲内に来ることにより、インナーレール３００が図６の状態よりも少しだけ下方に下がると、中間レール２００も少しだけ下方に下がる。従って、中間レール２００は、カバーレール１００の傾斜部１２２に沿って、引出し後方の端部まで移動することになる。
【００６６】
このように、第１の実施の形態では、インナーレール３００に固定されたローラ３１１，３１２のうち、ローラ３１２が引出し扉４０を閉じるときにカバーレール１００の下面で荷重を保持し、ローラ３１１が中間レール２００の下面の走行面に接触して引出し扉４０を開放するときに中間レール２００に固定されたローラ２１２を介してカバーレール１００の上面で荷重を保持する構造とした。また、インナーレール３００のローラ３１１で中間レール２００を保持し、インナーレール３００のローラ３１２が傾斜部１２１の範囲外のときは、中間レール２００が傾斜部１２２の前で待機する構造とした。これにより、レール装置７０１を、スライド量を維持しつつ、構造を簡易にして薄型化することが可能となった。
【００６７】
［第２の実施の形態におけるレール装置の構造］
以下、第２の実施の形態におけるレール装置７０２の構造について、詳細に説明する。
【００６８】
図８は、第２の実施の形態におけるレール装置７０２を構成するレールの斜視図である。尚、この図でも、左下方向が引出し前方であり、右上方向が引出し後方である。また、この図でも、レールは、引出しの手前から見て左側のものを示しているので、左上方向が引出し外方であり、右下方向が引出し内方である。
【００６９】
図示するように、第２の実施の形態におけるレール装置７０２は、カバーレール４００と、中間レール５００と、インナーレール６００とを組み合わせることにより構成される。
【００７０】
カバーレール４００は、側板部４０１と、下板部４０２と、上板部４０３とを備える。側板部４０１は、カバーレール４００の引出し外方における板状の部分である。側板部４０１は、貯蔵室２０の壁に固定される。下板部４０２は、側板部４０１から下端で折り曲げられて引出し内方へ延びる板状の部分である。下板部４０２の上面には、長手方向に沿って、スライド面４０４が設けられている。上板部４０３は、側板部４０１から上端で折り曲げられて引出し内方へ延びる板状の部分である。上板部４０３の上面及び下面には、それぞれ、長手方向に沿って、スライド面４０５，４０６が設けられている。本実施の形態では、所定の走行板部の上面の一例として、スライド面４０５を設けている。
【００７１】
また、カバーレール４００は、ローラ４１１を備える。ローラ４１１は、側板部４０１に引出し内方側から取り付けられている。そして、矢印４９１で示すように中間レール５００の下面に接触し、接触しながら回転することにより、中間レール５００をスライドさせる。本実施の形態では、第４のローラの一例として、ローラ４１１を設けている。
【００７２】
更に、カバーレール４００は、傾斜部４２１〜４２３を備える。傾斜部４２１は、スライド面４０４の引出し後方に設けられている。そして、引出し後方になるほど低くなる傾斜、つまり、下板部４０２の下面が平面状であれば引出し後方になるほどスライド面４０４の下板部４０２の下面からの距離が短くなるような傾斜を有している。本実施の形態では、第４の傾斜部の一例として、傾斜部４２１を設けている。また、傾斜部４２２，４２３は、それぞれ、スライド面４０５，４０６の引出し後方に設けられている。そして、引出し後方になるほど低くなる傾斜、つまり、下板部４０２の下面が平面状であれば引出し後方になるほどスライド面４０５，４０６の下板部４０２の下面からの距離が短くなるような傾斜を有している。本実施の形態では、第１の傾斜部の一例として、傾斜部４２２を設けており、第２の傾斜部の一例として、傾斜部４２３を設けている。
【００７３】
更にまた、カバーレール４００は、突起部４３１を備える。突起部４３１は、側板部４０１に設けられている。そして、突起部４３１は、垂直面４３２と、斜面４３３とを含む。
【００７４】
尚、本実施の形態では、ベースレールの一例として、カバーレール４００を設けている。
【００７５】
中間レール５００は、第１側板部５０１と、下板部５０２と、中板部５０３と、第２側板部５０４と、上板部５０５とを備える。第１側板部５０１は、中間レール５００の引出し内方における板状の部分である。下板部５０２は、第１側板部５０１から下端で折り曲げられて引出し外方へ延びる板状の部分である。中板部５０３は、第１側板部５０１から上端で折り曲げられて引出し外方へ延びる板状の部分である。第２側板部５０４は、中板部５０３から引出し外方の端部で折り曲げられて上方へ延びる板状の部分である。上板部５０５は、第２側板部５０４から上端で折り曲げられて引出し外方へ延びる板状の部分である。本実施の形態では、所定の引掛板部の一例として、上板部５０５を設けている。
【００７６】
また、中間レール５００は、ローラ５１１，５１２を備える。ローラ５１１は、第１側板部５０１の引出し前方に引出し外方側から取り付けられている。そして、矢印５９１で示すようにインナーレール６００の下面に接触し、接触しながら回転することにより、インナーレール６００をスライドさせる。本実施の形態では、第５のローラの一例として、ローラ５１１を設けている。また、ローラ５１２は、第１側板部５０１の引出し後方に引出し外方側から取り付けられている。そして、矢印５９２で示すようにカバーレール４００のスライド面４０６に接触し、接触しながら回転することにより、カバーレール４００内で中間レール５００をスライドさせる。本実施の形態では、第３のローラの一例として、ローラ５１２を設けている。
【００７７】
更に、中間レール５００は、傾斜部５２１を備える。傾斜部５２１は、下板部５０２の引出し前方に設けられている。そして、引出し後方になるほど低くなる傾斜、つまり、上板部５０３が平面状であれば引出し後方になるほど下板部５０２の上板部５０３からの距離が長くなるような傾斜を有している。本実施の形態では、第３の傾斜部の一例として、傾斜部５２１を設けている。ここで、前述したカバーレール４００の傾斜部４２１及びこの中間レール５００の傾斜部５２１は、引出し扉４０が閉じられる際に引出しを引き込む力を発生させることにより、引出し扉４０が閉じられた状態を保持する。
【００７８】
更にまた、中間レール５００は、ピン５３１と、案内孔５３２とを備える。ピン５３１は、案内孔５３２の引出し外方側で案内孔５３２に沿って上下に移動させることが可能な部材であり、案内孔５３２は、ピン５３１の上下の移動を案内するためのものである。
【００７９】
ここで、カバーレール４００の突起部４３１と、中間レール５００のピン５３１とは、中間レール５００とインナーレール６００とからなるユニットのスライド範囲を規制する。即ち、規制手段の一例である。突起部４３１の垂直面４３２は、中間レール５００とインナーレール６００とからなるユニットを引き出す際に、ピン５３１が当たって止まるようにすることにより、中間レール５００の移動を規制する。但し、作業者がピン５３１を上に移動させれば、中間レール５００とインナーレール６００とからなるユニットはカバーレール４００から取り外すことができるようになっている。また、斜面４３３は、後述する中間レール５００とインナーレール６００とからなるユニットを取り付けて押し込む際に、ピン５３１が滑って移動するようにすることにより、中間レール５００の移動を可能にする。
【００８０】
インナーレール６００は、第１側板部６０１と、下板部６０２と、中板部６０３と、第２側板部６０４と、上板部６０５とを備える。第１側板部６０１は、インナーレール６００の引出し内方における板状の部分である。下板部６０２は、第１側板部６０１から下端で折り曲げられて引出し外方へ延びる板状の部分である。中板部６０３は、第１側板部６０１から上端で折り曲げられて引出し外方へ延びる板状の部分である。第２側板部６０４は、中板部６０３から引出し外方の端部で折り曲げられて上方へ延びる板状の部分である。上板部６０５は、第２側板部６０４から上端で折り曲げられて引出し内方へ延びる板状の部分である。
【００８１】
また、インナーレール６００は、ローラ６１１，６１２を備える。ローラ６１１は、第２側板部６０４の引出し後方の部分に引出し内方側から取り付けられている。そして、矢印６９１で示すように中間レール５００の上板部５０５の下面に接触することにより、中間レール５００を保持する。本実施の形態では、第１のローラの一例として、ローラ６１１を設けている。また、ローラ６１２は、第２側板部６０４の引出し後方の部分のローラ６１１の位置よりも後方に引出し内方側から取り付けられている。そして、矢印６９２で示すようにカバーレール４００のスライド面４０５に接触し、接触しながら回転することにより、インナーレール６００をスライドさせる。本実施の形態では、第１のローラの一例として、ローラ６１２を設けている。
【００８２】
図９及び図１０は、それぞれ、第２の実施の形態におけるレール装置７０２の正面図及び背面図である。
【００８３】
図示するように、カバーレール４００は、側板部４０１の下端から下板部４０２が引出し内方へ延び、側板部４０１の上端から上板部４０３が引出し内方へ延びることにより構成されている。
【００８４】
中間レール５００は、第１側板部５０１の下端から下板部５０２が引出し外方へ延び、第１側板部５０１の上端から中板部５０３が引出し外方へ延び、中板部５０３の引出し外方の端部から第２側板部５０４が上方へ延び、第２側板部５０４の上端から上板部５０５が引出し外方へ延びることにより構成されている。
【００８５】
インナーレール６００は、第１側板部６０１の下端から下板部６０２が引出し外方へ延び、第１側板部６０１の上端から中板部６０３が引出し外方へ延び、中板部６０３の引出し外方の端部から第２側板部６０４が上方へ延び、第２側板部６０４の上端から上板部６０５が引出し内方へ延びることにより構成されている。
【００８６】
また、ローラ４１１は、中間レール５００の下板部５０２の下面に接しており、ローラ５１１は、インナーレール６００の下板部６０２の下面に接しており、ローラ５１２は、カバーレール４００の上板部４０３のスライド面４０６に接しており、ローラ６１１は、中間レール５００の上板部５０５の下面に接しており、ローラ６１２は、カバーレール４００の上板部４０３のスライド面４０５に接している。
【００８７】
図１１及び図１２は、第２の実施の形態におけるレール装置７０２の側面図である。
【００８８】
図１１に、中間レール５００をインナーレール６００よりも引出し後方へ押し込んだ場合について示す。この場合は、インナーレール６００のローラ６１１が中間レール５００の上板部５０５を保持するため、インナーレール６００のローラ６１２がカバーレール４００の傾斜部４２２の範囲内になく、インナーレール６００が平行にしかスライドできなければ、中間レール５００も平行にしかスライドできない。従って、中間レール５００は、カバーレール４００の傾斜部４２３の前で待機することになる。
【００８９】
図１２に、インナーレール６００を中間レール５００よりも引出し後方へ押し込んだ場合について示す。この場合は、インナーレール６００のローラ６１１が中間レール５００の上板部５０５を保持するため、インナーレール６００のローラ６１２がカバーレール４００の傾斜部４２２の範囲内に来ることにより、インナーレール６００が図１１の状態よりも少しだけ下方に下がると、中間レール５００も少しだけ下方に下がる。従って、中間レール５００は、カバーレール４００の傾斜部４２３に沿って、引出し後方の端部まで移動することになる。
【００９０】
このように、第２の実施の形態では、インナーレール６００に固定されたローラ６１１，６１２のうち、ローラ６１２が引出し扉４０を閉じるときにカバーレール４００の上面で荷重を保持し、ローラ６１１が中間レール５００の下面の走行面に接触して引出し扉４０を開放するときに中間レール５００に固定されたローラ５１２を介してカバーレール４００の上面で荷重を保持する構造とした。また、インナーレール６００のローラ６１１で中間レール５００を保持し、インナーレール６００のローラ６１２が傾斜部４２２の範囲外のときは、中間レール５００が傾斜部４２３の前で待機する構造とした。これにより、レール装置７０２を、スライド量を維持しつつ、構造を簡易にして薄型化することが可能となった。
【符号の説明】
【００９１】
１…冷蔵庫、２０…貯蔵室、４０…引出し扉、１００，４００…カバーレール、２００，５００…中間レール、３００，６００…アウターレール、７０１，７０２…レール装置
【図１】
2020115072.tif 000003
【図２】
2020115072.tif 000004
【図３】
2020115072.tif 000005
【図４】
2020115072.tif 000006
【図５】
2020115072.tif 000007
【図６】
2020115072.tif 000008
【図７】
2020115072.tif 000009
【図８】
2020115072.tif 000010
【図９】
2020115072.tif 000011
【図１０】
2020115072.tif 000012
【図１１】
2020115072.tif 000013
【図１２】
2020115072.tif 000014